(57)【要約】      （修正有） 【課題】解体することなく植物の世話をすることができ、また、解体・清掃・保管も容易におこなうことができるアコーディオン式防虫用ネット又は寒冷紗を提供する。【解決手段】ネット又はビニール４に、半円形部品３を接着又は圧着にて取り付け、特殊樹脂系の丸棒１を半円形部品３に通して、ネット又はビニール４を特殊樹脂系の丸棒１の両側に固定金具２で固定し、部分的に固定金具２を取り外すことができ、ネット又はビニール４を開閉できるようにする方法とした。組立方法は、特殊樹脂系の丸棒１の片側の先端を土に差し込み、もう片側の先端を必要に応じた半円形トンネルの巾５を自由に決めて刺し込み、この作業を繰り返すことで、トンネル組立が簡単にでき、解体するときは特殊樹脂系の丸棒１を抜くだけで、清掃・保管することができる。【選択図】図２
0003151227.tif 000002
【実用新案登録請求の範囲】
【請求項１】
ネット又はビニールに半円形部品を接着又は圧着し、特殊樹脂系の丸棒を半円形部品に通すことにより、特殊樹脂系の丸棒が軽々と半円形部品内を動き、特殊樹脂系の丸棒の両側の先端から約300ｍｍ位の所に、ネット又はビニールを固定金具で固定し、固定した金具を部分的に外せば開閉できることで、半円形トンネルの巾が自由自在に決めることが出来るようにすることを特徴とするアコーディオン式防虫用ネット又は寒冷紗。
【考案の詳細な説明】
【技術分野】
【０００１】
本考案は、当社が開発した半円形部品をネット又はビニールに接着及び圧着し、特殊樹脂系の丸棒を半円形部品に通して、特殊樹脂系丸棒の両側先端より約３００ｍｍ位の所に、ネット又はビニールを固定金具で固定し、必要に応じた半円形トンネルの巾が自由自在に決めることができ、固定金具を外せば、ネット又はビニールの開閉が簡単にでき、解体せずに作物等の世話をすることができる。解体時には、土に差し込んである特殊樹脂系の丸棒を抜けば、特殊樹脂系の丸棒はまっすぐになり、清掃・保管が出来るようにした方法である。
【背景技術】
【０００２】
従来、農作物や花などが、害虫又は寒冷に遭遇しないよう使用され、大変な労力がかかっている。今までの文献を調べてみましたが、公開特許広報の特開２００３−１８９７４７をみますと、半円形トンネルが固定（自由な半円形トンネルが出来ない）していて、開閉時ネットの土を掃い開閉する仕組である。当社の考案した製品は、半円形部品を使用し、棒の先端約300ｍｍ位の所を固定金具で固定し、その金具を取り外しが出来るようにし、ネット又はビニールが開閉出来、半円形トンネルの巾も自由自在に決めることが出来る。
【先行技術文献】
【特許文献】
【０００３】
【特許文献１】特開２００３−１８９７４７号公報
【考案の概要】
【考案が解決しようとする課題】
【０００４】
従来の防虫用ネット及び寒冷紗は、棒を半円形に曲げて、ネットやビニールを被せるのに苦労をしていた。本考案の製品を使用すれば、組立・解体が簡単にできる。
【課題を解決するための手段】
【０００５】
ネット又はビニールに半円形部品を接着又は圧着し、特殊樹脂系の丸棒を半円形部品に通すことにより、特殊樹脂系の丸棒が軽々と半円形部品内を動き、特殊樹脂系の丸棒の両側の先端から約300ｍｍ位の所に、ネット又はビニールを固定金具で固定し、固定した金具を部分的に外せば開閉できることで、半円形トンネルの巾が自由自在に決めることが出来るようにすることを特徴とする、アコーディオン式防虫用ネット又は寒冷紗である。
【考案の効果】
【０００６】
当社の考案した製品は、半円形部品を使用し、棒の先端約300ｍｍ位のところを固定金具で固定し、その固定金具を取り外しが出来るようにし、ネット又はビニールが開閉出来、半円形トンネルの巾も自由自在に決めることが出来る。
【図面の簡単な説明】
【０００７】
【図１】本考案のアコーディオン式防虫用ネット又は寒冷紗の平面横図である。
【図２】本考案のアコーディオン式防虫用ネット又は寒冷紗の組立後斜め横図である。
【図３】本考案のアコーディオン式防虫用ネット又は寒冷紗の組立後前図である。
【図４】本考案のアコーディオン式防虫用ネット又は寒冷紗の清掃・保管図である。
【考案を実施するための形態】
【０００８】
本考案は、ネット又はビニール４に、開発した半円形部品３を接着又は圧着にて取り付け、特殊樹脂系の丸棒１を半円形部品３に通して、ネット又はビニール４を特殊樹脂系の丸棒１の両側に、先端から約300ｍｍ位のところを固定金具２で固定し、トンネル内の状況により、部分的に固定金具２を取り外すことが出き、ネット又はビニール４を開閉できるようにし、特殊樹脂系の丸棒１の片側の先端を土に差し込み、もう片側の先端を必要に応じた半円形トンネルの巾５を自由に決めて刺し込み、この作業を繰り返すことで、トンネル組立が簡単にでき、作業能力が上がり、解体するときは特殊樹脂系の丸棒１を土から抜くだけで解体でき、清掃・保管が楽々とできる。
【０００９】
以下、添付図面に従って説明する。図１はネット又はビニール４に、当社考案の半円形部品３を接着又は圧着にて取り付け、通常な状態ではまっすぐで一定方向に力を加えると曲がる特殊樹脂系の丸棒１をネット又はビニール４と接着又は圧着された半円形部品３の間の半円形部品に通し、特殊樹脂系の丸棒１の先端約300ｍｍ位のところを固定金具２で固定し、その固定金具を取り外しが出来るようにした。組立方法は、図2・図３のように、特殊樹脂系の丸棒１の片側の先端を土に差し込み、もう片側の先端を特殊樹脂形の丸棒１を曲げることにより、巾５を自由に決めて必要に応じた半円形トンネルの形を作り、土に刺し込む。この作業を繰り返すことで、トンネル組立が簡単にでき、ネット又はビニール４の両端を自由に開閉することが出来る。ネット又はビニール４の両端が自由に開閉できる為、組立てたままでの作業がしやすく、空気の入れ替え等も容易にすることが出来る。解体及び清掃・保管は、特殊樹脂系の丸棒１を土から抜き取ると図４のように、特殊樹脂系の丸棒１がまっすぐになり、ネット又はビニール４が広がり、清掃が楽になり、保管は、ネット又はビニール４をアコーディオン式に畳み、狭い隙間等に収納することが出来る。
【符号の説明】
【００１０】
１．  特殊樹脂系の丸棒
２．  固定金具
３．  半円形部品
４．  ネット又はビニール
５．  巾
【図１】
0003151227.tif 000003
【図２】
0003151227.tif 000004
【図３】
0003151227.tif 000005
【図４】
0003151227.tif 000006
【手続補正書】
【提出日】平成21年4月2日(2009.4.2)
【手続補正１】
【補正対象書類名】実用新案登録請求の範囲
【補正対象項目名】全文
【補正方法】変更
【補正の内容】
【実用新案登録請求の範囲】
【請求項１】
ネット又はビニールの裏側に、ネット又はビニールの巾に対して中央より等間隔数ヶ所に半円形部品を接着又は圧着し、それをネット又はビニールの長さに応じて等間隔で、必要数繰り返し行い、樹脂の丸棒をネット又はビニールの巾に対して中央より等間隔数ヶ所に接着又は圧着した半円形部品の半円部分に１本ずつ通すことにより、樹脂の丸棒が軽々と半円形部品内を動き、樹脂の丸棒の両側の先端から約300ｍｍ位の所に、ネット又はビニールを固定金具で固定し、固定した金具を部分的に外せばネット又はビニールが開閉でき、半円形トンネルの巾を自由自在に決めることが出来るようにすることを特徴とする、アコーディオン式防虫用ネット又は寒冷紗。